(57)【要約】【課題】矩形板状の記録媒体の取り出し時の使い勝手を向上させる上で有利な記録および／または再生装置を提供する。【解決手段】撮像装置のホルダ２０はディスクカートリッジ２が装脱される開放位置と、ディスクカートリッジ２に対する情報の記録および／または再生を行う閉塞位置とに揺動される。ホルダ２０には、開閉蓋１１４を開放位置にした際にホルダ２０からディスクカートリッジ２を突出させるイジェクト機構３０が設けられている。ホルダ２０の閉塞位置から開放位置への揺動時に、サイドアーム３４、第２スライダ３６、連結アーム３８を介して第１スライダ３２をホルダ２０からディスクカートリッジ２を突出させる方向に移動させることで、ディスクカートリッジ２をホルダ２０から突出させる。【選択図】        図１４
2006004505.tif 000002
【特許請求の範囲】
【請求項１】
装置本体と、
前記装置本体に結合され矩形板状の記録媒体が装脱される開放位置と、前記記録媒体に対する情報の記録および／または再生を行う閉塞位置とに揺動されるホルダと、
前記閉塞位置から開放位置への揺動時に前記ホルダから前記記録媒体を突出させるイジェクト機構とを備える記録および／または再生装置であって、
前記ホルダは前記記録媒体の厚さ方向の一方の面に滑動可能に係合し幅および奥行きを有する上面壁と、前記上面壁の幅方向の両側にそれぞれ設けられ前記記録媒体の幅方向の側面に滑動可能に係合する側壁と、前記両側の側壁の端部にそれぞれ設けられ前記記録媒体の厚さ方向の他方の面に滑動可能に係合する底壁とを有し、
前記イジェクト機構は、前記上面壁の幅方向の一側で奥行き方向に移動可能に支持され前記記録媒体の挿脱時に前記記録媒体に係合し前記記録媒体と一体に前記奥行き方向に移動する第１スライダと、前記上面壁の幅方向の他側に位置する側壁と前記装置本体とにわたって設けられ前記ホルダの揺動に連動して揺動するサイドアームと、前記上面壁の幅方向の他側で奥行き方向に移動可能に支持され前記サイドアームに連結されて前記サイドアームの揺動に連動して前記奥行き方向に移動する第２スライダと、前記上面壁に揺動可能に設けられ前記第１スライダと第２スライダとを連結し前記ホルダの前記閉塞位置から開放位置への揺動時に前記ホルダから前記記録媒体を突出させる方向に前記第１スライダを移動させる連結アームとを備える、
ことを特徴とする記録および／または再生装置。
【請求項２】
前記記録媒体のホルダへの装着は、前記ホルダが前記開放位置に位置した状態で行なわれ、前記第２スライダと前記連結アームとは、前記記録媒体の装着時に外れ、かつ、前記ホルダが前記開放位置から閉塞位置に揺動した際に係合する係脱部を介して連結されていることを特徴とする請求項１記載の記録および／または再生装置。
【請求項３】
前記係脱部は、前記第２スライダと連結アームの一方に形成された係合孔と、前記第２スライダと連結アームの他方に形成され前記係合孔に係合可能な係合突起とにより構成されていることを特徴とする請求項２記載の記録および／または再生装置。
【請求項４】
前記上面壁の幅方向の一側に位置する側壁には、前記奥行き方向に延在する長溝が設けられ、前記第１スライダは、前記上面壁で前記奥行き方向に移動可能に支持された上面板部と、前記上面板部に連結され前記側壁の長溝に臨む側面板部と、前記側面板部に設けられ前記記録媒体の側面に係脱可能に係合する係合部とを有していることを特徴とする請求項１記載の記録および／または再生装置。
【請求項５】
前記第１スライダと前記連結アームとは、前記第１スライダと前記連結アームの一方に形成された係合片が、前記第１スライダと前記連結アームの他方に形成された長溝に挿入されることで係合されていることを特徴とする請求項１記載の記録および／または再生装置。
【請求項６】
前記第１スライダと第２スライダは、前記上面壁上に重ね合わされて配置された薄肉の板片で形成され、前記連結アームは、その長手方向の中間部が前記上面壁上に重ね合わされその長手方向の両側部が前記第１スライダと第２スライダの上に重ね合わされて配置された薄肉の板片で形成されていることを特徴とする請求項１記載の記録および／または再生装置。
【請求項７】
前記ホルダーは薄肉の金属板から一体形成されていることを特徴とする請求項１記載の記録および／または再生装置。
【請求項８】
前記装置本体に凹部が設けられ、前記ホルダーは前記凹部に配設され、前記ホルダーは、前記凹部を開閉する開閉蓋に連動して揺動することを特徴とする請求項１記載の記録および／または再生装置。
【発明の詳細な説明】
【技術分野】
【０００１】
本発明は矩形板状の記録媒体に対して情報の記録および／または再生を行なう記録および／または再生装置に関する。
【背景技術】
【０００２】
ＭＤ（ミニディスク）に対して音声の記録や再生を行うＭＤプレーヤーがある。このようなＭＤプレーヤーとして、その本体部に対して開閉可能に扉部を設け、この扉部にＭＤのカートリッジを保持するカートリッジ保持部を設けたものが提供されている（例えば特許文献１参照）。
このＭＤプレーヤーでは、カートリッジ保持部が扉部側に対してカートリッジの挿脱方向に移動可能に設けられている。
カートリッジの装着は、カートリッジをカートリッジ保持部に挿入しカートリッジ保持部とともに扉部の内部に押し込みその状態で扉部を閉塞することで行われ、カートリッジが装着されると、カートリッジのＭＤがＭＤプレーヤーに設けられたピックアップにアクセス可能な位置に位置決めされ、これによりＭＤに対する情報の記録や再生が行われる。そして、カートリッジをカートリッジ保持部に挿入する際にはカートリッジ取り出し用のばねが蓄勢されその状態が保持される。
カートリッジの取り出しは、扉部を開放することで、前記ばねの付勢力によりカートリッジ保持部が扉部に対してカートリッジの取り出し方向に突出しカートリッジの一部が扉部の外方に突出することで行われる。
【特許文献１】特開平７−１５３１６４号公報
【発明の開示】
【発明が解決しようとする課題】
【０００３】
しかしながら前記従来装置では、カートリッジの突出量がばねの付勢力によって決定されることからカートリッジの突出量のばらつきが避けられなかった。したがって、カートリッジの突出量が少ないと扉部からカートリッジを取り出しづらく、カートリッジの突出量が大きいと扉部からカートリッジが脱落しやすく、使い勝手を向上する上で不利があった。
本発明は、このような事情に鑑みなされたものであり、矩形板状の記録媒体の取り出し時の使い勝手を向上させる上で有利な記録および／または再生装置を提供することにある。
【課題を解決するための手段】
【０００４】
上述の目的を達成するため、本発明は、装置本体と、前記装置本体に結合され矩形板状の記録媒体が装脱される開放位置と、前記記録媒体に対する情報の記録および／または再生を行う閉塞位置とに揺動されるホルダと、前記閉塞位置から開放位置への揺動時に前記ホルダから前記記録媒体を突出させるイジェクト機構とを備える記録および／または再生装置であって、前記ホルダは前記記録媒体の厚さ方向の一方の面に滑動可能に係合し幅および奥行きを有する上面壁と、前記上面壁の幅方向の両側にそれぞれ設けられ前記記録媒体の幅方向の側面に滑動可能に係合する側壁と、前記両側の側壁の端部にそれぞれ設けられ前記記録媒体の厚さ方向の他方の面に滑動可能に係合する底壁とを有し、前記イジェクト機構は、前記上面壁の幅方向の一側で奥行き方向に移動可能に支持され前記記録媒体の挿脱時に前記記録媒体に係合し前記記録媒体と一体に前記奥行き方向に移動する第１スライダと、前記上面壁の幅方向の他側に位置する側壁と前記装置本体とにわたって設けられ前記ホルダの揺動に連動して揺動するサイドアームと、前記上面壁の幅方向の他側で奥行き方向に移動可能に支持され前記サイドアームに連結されて前記サイドアームの揺動に連動して前記奥行き方向に移動する第２スライダと、前記上面壁に揺動可能に設けられ前記第１スライダと第２スライダとを連結し前記ホルダの前記閉塞位置から開放位置への揺動時に前記ホルダから前記記録媒体を突出させる方向に前記第１スライダを移動させる連結アームとを備えることを特徴とする。
【発明の効果】
【０００５】
そのため、ホルダの閉塞位置から開放位置への揺動時に、サイドアーム、第２スライダ、連結アームを介して第１スライダをホルダから記録媒体を突出させる方向に移動させることで記録媒体をホルダから突出させ、従来と異なってばねを用いていないので、記録媒体の突出量を設計値通りの適切な量とすることができ、使い勝手を向上する上で有利となる。
【発明を実施するための最良の形態】
【０００６】
矩形板状の記録媒体の取り出し時の使い勝手を向上させるという目的を、ホルダの閉塞位置から開放位置への揺動時に、サイドアーム、第２スライダ、連結アームを介して第１スライダをホルダから記録媒体を突出させる方向に移動させることによって実現した。
【実施例１】
【０００７】
次に本発明の実施例１について図面を参照して説明する。
図１は実施例１の記録および／または再生装置としての撮像装置を前方から見た斜視図である。
本実施例において撮像装置１００は、静止画および動画などの画像情報の記録再生、および音声情報の記録再生をディスクカートリッジ２（記録媒体）に対して行うものである。
ディスクカートリッジ２は、図１５に示すように、矩形板状のケース２０２に光ディスク２０４が収容されたものであり、ケース２０２の厚さ方向の一側には窓２０６とこの窓２０６を開閉するシャッタ２０８が設けられている。
ディスクカートリッジ２は、図１５に示す矢印の方向に撮像装置１００に対して挿脱され、ディスクカートリッジ２の側面で前記挿脱される方向の端部に係合凹部２１０が設けられている。
【０００８】
図１に示すように、撮像装置１００は装置本体１０１を有し、装置本体１０１は外装を構成するケース１０２を備え、ケース１０２は、上下方向の高さが左右方向の幅よりも大きな寸法の矩形板状に形成されている。なお、本明細書においてケース１０２の左右は撮像装置１００を前方から見た状態でいうものとする。
ケース１０２の前面上部には、撮影光学系１２０（図１６）を収容する鏡筒１０４が設けられ、ケース１０２の前面下部には音声録音用のマイク（不図示）が設けられている。
ケース１０２の右側面には、撮像した画像を表示する矩形板状のディスプレイ１０６が右側面に対して開閉可能に取着されている。
ケース１０２の下面前部には、撮像装置１００を把持するためのグリップ部１０８が下方に突設され、グリップ部１０８の前部には撮影スタート／ストップボタンを含む種々の操作スイッチ１１０が設けられている。
ケース１０２の左側面には矩形状の凹部１１２が設けられ、凹部１１２には記録再生部１０（図１６参照）が設けられ、また、凹部１１２にはディスクカートリッジ２が装着されるホルダ２０と開閉蓋１１４が設けられ、凹部１１２は開閉蓋１１４によって開閉されるように構成されている。
【０００９】
図１６に示すように、鏡筒１０４の後部には、撮影光学系１２０によって結像された被写体像を撮像するＣＣＤやＣＭＯＳセンサなどで構成された撮像素子１２２が配設されている。
撮像装置１００は、記録再生部１０に加えて、撮像素子１２２から出力された撮像信号に基づいて画像情報を生成する画像処理部１２４、前記画像データをディスプレイ１０６に表示させる表示処理部１２６、操作スイッチ１１０の操作に応じて画像処理部１２４、表示処理部１２６、記録再生部１０を制御するＣＰＵなどを含む制御部１２８などを備えている。
記録再生部１０は、ホルダ２０に装着されたディスクカートリッジ２内の光ディスク２０４を回転するスピンドルモータと、前記光ディスクの記録面に光ビームを照射するとともに前記記録面からの反射光を検出することで前記記録面に対して前記画像情報や音声情報の記録再生を行なう光ピックアップおよび信号処理回路などを含んでいる。
【００１０】
次にホルダ２０とイジェクト機構３０について説明する。
図２はホルダ２０が開放位置にある状態を示す斜視図、図３はホルダ２０が閉塞位置にある状態を示す斜視図である。
図４（Ａ）はホルダ２０の平面図、（Ｂ）は（Ａ）のＢ矢視図、（Ｃ）は（Ａ）のＣ矢視図、図５（Ｄ）は図４（Ａ）のＤ矢視図、（Ｅ）は図４（Ａ）のＥ矢視図、（Ｆ）は図５（Ｄ）のＦ矢視図である。
図６（Ａ）は第１スライダの底面図、（Ｂ）は（Ａ）のＢ矢視図、（Ｃ）は（Ａ）のＣ矢視図、図７（Ａ）は第２スライダの平面図、（Ｂ）は（Ａ）のＢ矢視図、（Ｃ）は（Ａ）のＣ矢視拡大図、図８は連結アームの斜視図、図９（Ａ）は第１スライダが突出方向に移動した状態を示す説明図、（Ｂ）は第１スライダが挿入方向に移動した状態を示す説明図である。
図１０、図１１、図１２はディスクカートリッジ２が装着される際の説明図、図１３、図１４はディスクカートリッジ２が排出される際の説明図である。
【００１１】
図２、図３に示すように、凹部１１２の底部には、記録再生部１０を構成するスピンドルモータなどが搭載されたベース部材１４０が設けられ、ホルダ２０は開閉蓋１１４の開閉に伴ってベース部材１４０上において、ディスクカートリッジ２が装脱される開放位置と、ディスクカートリッジ２に対する情報の記録および／または再生を行う閉塞位置とに揺動される。
ホルダ２０には、開閉蓋１１４を開放位置にした際にホルダ２０からディスクカートリッジ２を突出させるイジェクト機構３０が設けられている。
本実施例では、開閉蓋１１４はその基部が凹部１１２に設けられた取付部材１３０にピン１３２を介して揺動可能に支持され不図示の付勢部材により常時開放方向に付勢されている。
ホルダ２０は開閉蓋１１４の内側に配設され、図１０〜図１４に示すように、ホルダ２０の基部がピン２０１０を介してベース部材１４０に揺動可能に支持され、ホルダ２０の先部の係合凸片２００２が開閉蓋１１４の係合孔１１５に係合され、開閉蓋１１４の開閉に追従して揺動されるように構成されている。
【００１２】
図４、図５、図１０に示すように、ホルダ２０は、薄肉の１枚の金属板から一体成形され、本実施例では薄肉のステンレス板により構成されている。
ホルダ２０は、ディスクカートリッジ２の厚さ方向の一方の面に滑動可能に係合し幅および奥行きを有する上面壁２００４と、上面壁２００４の幅方向の両側にそれぞれ設けられディスクカートリッジ２の幅方向の側面に滑動可能に係合する側壁２００６と、両側の側壁２００６の端部にそれぞれ所定幅、所定の奥行きで設けられディスクカートリッジ２の厚さ方向の他方の面に滑動可能に係合する底壁２００８とを有している。なお、本実施例では、図４、図５に示すように、ディスクカートリッジ２が挿入された際、その先端はホルダ２０の揺動支点となるピン２０１０が結合されるフランジ部分２０１１に当接されディスクカートリッジ２の挿入方向の限界位置が決定される。
【００１３】
また、ホルダ２０の上面壁２００４には開閉蓋１１４の内面に弾接する一対のばね片２０１２が設けられ、各ばね片２０１２の弾性によりホルダ２０は開閉蓋１１４から離れる方向に常時付勢され、言い換えると、ホルダ２０はベース部材１４０に近接する方向に常時付勢されている。
図５（Ｅ）に示すように、上面壁２００４の幅方向の一側に位置する側壁２００６には、前記奥行き方向に延在する第１長溝２０１４が設けられている。
図５（Ｄ）、図１０〜図１４に示すように、上面壁２００４の幅方向の他側に位置する側壁２００６の先部寄りの箇所には前記奥行き方向に延在する第２長溝２０１６が設けられている。
なお、本実施例では、図５（Ｆ）に示す一方の側壁２００６の内側にホルダ２０の幅方向内側に係合片２０５０が突設されている。そして、ディスクカートリッジ２の挿入に伴い、ディスクカートリッジ２のシャッター２０８にこの係合片２０５０が係合しその状態でディスクカートリッジ２が挿入方向に移動されることでシャッター２０８が動かされて窓２０６が開放され、この窓２０６を介して光ディスク２０４に対する光ピックアップによる光ビームの照射が可能となる。
【００１４】
イジェクト機構３０は、第１スライダ３２と、サイドアーム３４と、第２スライダ３６と、連結アーム３８とを含んで構成されている。
図６に示すように、第１スライダ３２は、薄肉の板片で細長状に形成され、本実施例では、薄肉のステンレス板により形成されている。
第１スライダ３２は、上面壁２００４の幅方向の一側に重ね合わされて配置された上面板部３２０２と、上面板部３２０２に連結され側壁２０００６の第１長溝２０１４に臨む側面板部３２０４と、側面板部３２０４に設けられた係合部３２０６とを有している。
上面板部３２０２には長手方向に間隔をおいて２つの長溝３２０８が設けられ、これら長溝３２０８にそれぞれホルダ２０の係合片２０１８が係合され、これにより第１スライダ３２は上面壁２００４上で奥行き方向に移動可能に支持されている。
側面板部３２０４は奥行き方向に延在し、係合部３２０６は側面板部３２０４の先端に設けられている。
図９に示すように、係合部３２０６は、ホルダ２０の側壁２００４の第１長溝２０１４を介してホルダ２０の幅方向内側に突出し、ディスクカートリッジ２の挿脱時にディスクカートリッジ２の係合凹部２１０に係合し、係合部３２０６が係合凹部２１０に係合することで第１スライダ３２はディスクカートリッジ２と一体に奥行き方向に移動する。
図６に示すように、上面板部３２０２の奥行き方向の先端寄りの箇所には、連結アーム３８に連結するための長溝３２１０が設けられている。
【００１５】
図１０〜図１４に示すように、サイドアーム３４は、薄肉の板片で細長状に形成され、本実施例では、薄肉のステンレス板により形成されている。
サイドアーム３４は、ホルダ２０の上面壁２００４の幅方向の他側に位置する側壁２００６と取付部材１３０とにわたって設けられ、具体的には、サイドアーム３４の先端に取着されたピン３４０２がホルダ２０の側壁２００６の第２長溝２０１６に挿入され、サイドアーム３４の基端は、ピン３４０４を介して取付部材１３０に連結され、これによりサイドアーム３４がホルダ２０に連動して揺動するように設けられている。
【００１６】
図７に示すように、第２スライダ３６は、薄肉の板片で細長状に形成され、本実施例では、薄肉のステンレス板により形成されている。
第２スライダ３６は、上面壁２００４の幅方向の他側に重ね合わされて配置された上面板部３６０２と、上面板部３６０２に連結され側壁２００６の第２長溝２０１６に臨む側面板部３６０４とを有している。
上面板部３６０２には奥行き方向に間隔をおいて２つの長溝３６０８が設けられこれら長溝３６０８にそれぞれホルダ２０の係合片２０２０が係合され、これにより第２スライダ３６は上面壁２００４上で奥行き方向に移動可能に支持されている。
上面板部３６０２の側面板部３６０４近傍箇所には厚さ方向に突出する係合突起３６１０が設けられている。
側面板部３６０４の先端は、前記のピン３４０２を介してサイドアーム３４に連結され、したがって第２スライダ３６は、サイドアーム３４の揺動に連動して前記奥行き方向に移動するように構成されている。
【００１７】
図８、図１０〜図１４に示すように、連結アーム３８は、薄肉の板片で細長状に形成され、本実施例では、薄肉のステンレス板により形成されている。
連結アーム３８は、本体板部３８０２と、本体板部３８０２の長手方向の一端に設けられた係合片３８０４と、本体板部３８０２の長手方向の他端に設けられた係合孔３８０６とを有している。
連結アーム３８はその長手方向を上面壁２００４の幅方向に向けて配設され、その長手方向の中間部が上面壁２００４の先部寄りの箇所にピン３８０７を介して揺動可能に結合されている。
本体板部３８０２の長手方向の中間部は上面壁２００４上に重ね合わされ、本体板部３８０２の長手方向の両側部は、第１スライダ３２と第２スライダ３６の上に重ね合わされて配置されている。
連結アーム３８は、係合片３８０４が第１スライダ３２の長溝３２１０に挿入されることで第１スライダ３２に係合され、係合孔３８０６が第２スライダ３６の係合突起３６１０に係脱することで第２スライダ３６と係脱可能に係合されている。本実施例では、第２スライダ３６の係合突起３６１０と連結アーム３８の係合孔３８０６とによって特許請求の範囲の係脱部が構成されている。
また、本実施例では、本体板部３８０２は、その中間部において厚さ方向に僅かに屈曲されることで厚さ方向にばね性を有するように形成され、このばね性により係合孔３８０６の部分が係合突起３６１０に係合する方向に付勢されるように構成されている。
また、図８に示すように、係合孔３８０６近傍の本体板部３８０２箇所には係合突起３６１０を係合孔３８０６に円滑に案内する傾斜片３８１２が設けられている。
【００１８】
次に、係合突起３６１０と係合孔３８０６の係脱について説明する。
まず、ディスクカートリッジ２をホルダ２０に装着する場合について説明する。
開閉蓋１１４と共にホルダ２０は開放位置に位置しており、この状態で図１４に示すように、第１スライダ３２は上面壁２００４の先端方向に移動された第１の位置（イ）に位置し、第２スライダ３６は上面壁の基端方向に移動された第２の位置（ロ）に位置し、連結アーム３８は係合片３８０４と係合孔３２１０を介して第１スライダ３２に連結されると共に、係合突起３６１０と係合孔３８０６を介して第２スライダ３６に連結されている。
この状態で、ホルダ２０にディスクカートリッジ２を挿入する。すなわち、上面壁２００４と両側の側壁２００６と両側の底壁２００８とで形成されるホルダ２０の空間部にディスクカートリッジ２を挿入する。このディスクカートリッジ２の挿入は、上述した不図示の付勢部材により開閉蓋１１４とともにホルダ２０は開放位置に維持されているので、円滑になされる。
図１０に示すように、ホルダ２０が開放位置に位置した状態でホルダ２０にディスクカートリッジ２を挿入すると、第１スライダ３２がディスクカートリッジ２の挿入に連動して前記奥行き方向に移動し第１の位置（イ）から第３の位置（ハ）となり、係合孔３２１０、係合片３８０４を介して第１スライダ３２に連動して連結アーム３８が揺動する。
また、ホルダ２０が開放位置に維持されているので、サイドアーム３４は揺動せず、このサイドアーム３４にピンを介して連結された第２スライダ３６は前記奥行き方向に移動せず、第２の位置（ロ）に留まる。
そのため、ディスクカートリッジ２の挿入時に、係合突起３６１０と係合孔３８０６との係合が外れる。
【００１９】
図１１、図１２に示すように、ディスクカートリッジ２をホルダ２０に挿入した後、開閉蓋１１４とともにホルダ２０を閉塞位置に揺動させると、今度は、第１スライダ３２が第３の位置（ハ）に留まり、この第１スライダ３２に連結された連結アーム３８も揺動せず静止状態に維持される。
ホルダ２０が閉塞位置に揺動されると、サイドアーム３４がホルダ２０に連動して揺動し、サイドアーム３４に連結された第２スライダ３６が前記奥行き方向に移動し第２の位置（ロ）から第４の位置（ニ）に移動する。
この第２スライダ３６の移動により係合突起３６１０と係合孔３８０６とが係合する。
【００２０】
さらに、図１３、図１４に示すように、ディスクカートリッジ２が装着されたホルダ２０を開閉蓋１１４とともに閉塞位置から開放位置に揺動させると、サイドアーム３４が揺動し、サイドアーム３４に連結された第２スライダ３６が第４の位置（ニ）から第２の位置（ロ）に移動し、また、係合突起３６１０と係合孔３８０６とが係合されていることから第２スライダ３６により連結アーム３８が揺動し、連結アーム３８に連結された第１スライダ３２が第３の位置（ロ）から第１の位置（イ）に移動する。
したがって、第１スライダ３２の係合部３２０６によりディスクカートリッジ２がホルダ２０の先端から押し出され、ディスクカートリッジ２の把持が可能となる。
【００２１】
本実施例によれば、ホルダ２０の閉塞位置から開放位置への揺動時に、サイドアーム３４、第２スライダ３６、連結アーム３８を介して第１スライダ３２をホルダ２０からディスクカートリッジ２を突出させる方向に移動させることで、ディスクカートリッジ２をホルダ２０から突出させており、従来と異なってばねを用いていないため、ディスクカートリッジ２の突出量を設計値通りの適切な量とすることができ、使い勝手を向上する上で有利となる。
また、第１スライダ３２と第２スライダ３６を連結する連結アーム３８の支点（ピン３８０７）の位置を適宜選択することで、ホルダ２０の揺動量に対して第１スライダ３２の移動量を大きく設定することができ、すなわち、ホルダ２０の揺動量に対してディスクカートリッジ２の突出量を大きく設定することができ、したがって、ホルダ２０の揺動量を少なくしてもディスクカートリッジ２の突出量を大きく確保でき、ディスクカートリッジ２を取りだす際の使い勝手を向上する上で有利である。
また、イジェクト機構３０は、第１スライダ３２と、サイドアーム３４と、第２スライダ３６と、連結アーム３８とを含んで構成され、これらの部材はホルダ２０の外形に沿って配設されるため、イジェクト機構３０を大きなスペースを確保することなく配設でき、小型化を図る上で有利となる。
また本実施例では、ホルダ２０を開放位置に揺動させると、ディスクカートリッジ２をホルダ２０から確実に突出させることができることは無論のこと、係合突起３６１０と係合孔３８０６を介して第２スライダ３６と連結アーム３８とを係脱可能に連結したので、ホルダ２０を開放位置にした状態でディスクカートリッジ２を挿入すると係合突起３６１０と係合孔３８０６との係合が外れ、これによりホルダ２０はディスクカートリッジ２の挿入に連動して閉塞位置に揺動することはなく、したがって、ホルダ２０の挿入操作を円滑に行う上で有利となる。
【００２２】
なお、本実施例では、第２スライダ３６と連結アーム３８を連結する前記係脱部を、係合突起３６１０と係合孔３８０６で構成した場合について説明したが、前記係脱部はこの構成に限定されるものではなく、従来公知の様々な構造が採用可能である。
また、本実施例では、矩形板状の記録媒体としてディスクカートリッジ２を用いる記録および／または再生装置を例示したが、記録媒体は矩形板状を呈していればよく、本発明は、例えばメモリカード、磁気テープカートリッジ、ハードディスクユニットなどを用いる記録および／または再生装置に広く適用可能である。
【図面の簡単な説明】
【００２３】
【図１】実施例１の記録および／または再生装置としての撮像装置を前方から見た斜視図である。
【図２】ホルダ２０が開放位置にある状態を示す斜視図である
【図３】ホルダ２０が閉塞位置にある状態を示す斜視図である
【図４】ホルダ２０の説明図である。
【図５】ホルダ２０の説明図である。
【図６】第１スライダの説明図である。
【図７】第２スライダの説明図である。
【図８】連結アームの斜視図である。
【図９】第１スライダの動作説明図である。
【図１０】ディスクカートリッジ２が装着される際の説明図である。
【図１１】ディスクカートリッジ２が装着される際の説明図である。
【図１２】ディスクカートリッジ２が装着される際の説明図である。
【図１３】ディスクカートリッジ２が排出される際の説明図である。
【図１４】ディスクカートリッジ２が排出される際の説明図である。
【図１５】ディスクカートリッジ２の説明図である。
【図１６】撮像装置１００の構成を示すブロック図である。
【符号の説明】
【００２４】
１００……撮像装置、２……ディスクカートリッジ、２０……ホルダ、２００４……上面壁、２００６……側壁、２００８……底壁、３０……イジェクト機構、３２……第１スライダ、３４……サイドアーム、３６……第２スライダ、３８……連結アーム。
【図１】
2006004505.tif 000003
【図２】
2006004505.tif 000004
【図３】
2006004505.tif 000005
【図４】
2006004505.tif 000006
【図５】
2006004505.tif 000007
【図６】
2006004505.tif 000008
【図７】
2006004505.tif 000009
【図８】
2006004505.tif 000010
【図９】
2006004505.tif 000011
【図１０】
2006004505.tif 000012
【図１１】
2006004505.tif 000013
【図１２】
2006004505.tif 000014
【図１３】
2006004505.tif 000015
【図１４】
2006004505.tif 000016
【図１５】
2006004505.tif 000017
【図１６】
2006004505.tif 000018